(57)【特許請求の範囲】
【請求項１】
挿入部の先端側に設けられた金属製の先端部本体と、この先端部本体の外周面を覆う絶縁カバーと、前記先端部本体と前記絶縁カバーとに貫通してこの絶縁カバーの外表面に開口を有する電気絶縁性のチャンネルチューブが内挿される貫通孔と、この貫通孔の中心軸方向に突出して絶縁カバー側に形成した前記チャンネルチューブの透孔の直径寸法より大径で、このチャンネルチューブの外径寸法より小径の凸部とを設けた内視鏡において、
前記チャンネルチューブの先端面を、前記凸部に当接させて固定すると共に、このチャンネルチューブ先端面から絶縁カバーまでの凸部内周面を絶縁部材で覆ったことを特徴とする内視鏡。
【発明の詳細な説明】
【０００１】
【発明の属する技術分野】
本発明は、高周波処置具を処置具チャンネルに挿通して金属製の先端部本体から突出させて患者の体腔内組織の処置を行う内視鏡に関する。
【０００２】
【従来の技術】
一般に内視鏡は、体腔内に挿入される挿入部と、この挿入部の基端側に位置して術者が把持・操作する操作部と、この操作部の側部から延出して光源装置や画像処理装置に着脱自在に接続されるコネクターを端部に設けたコネクタコードで主に構成されている。
【０００３】
前記挿入部の先端には、体腔内を観察する対物レンズ、体腔内を照明する照明ガイド及び鉗子などの処置具を体腔内に挿入するための鉗子チャンネルなどを設けた金属部材で形成した先端部本体が設けられている。
【０００４】
前記先端部本体が金属部材で形成されていると、電気メス等の高周波処置具を鉗子チャンネルを通して体腔内に挿入して高周波処置を行うとき、高周波処置具の電極に体液などが接触していると、前記高周波処置具に流れている高周波電流が内視鏡に漏洩して、高周波処置具の処置部を構成する焼灼部位に充分な高周波電流が流れなくなって処置が行えなくなることがあった。
【０００５】
そこで、このような漏電を防ぐために、先端部本体の金属の露出箇所を絶縁部材で覆う必要があり、特公平３−２６９６４号公報にはチャンネルチューブの先端を、先端部本体を被覆する絶縁カバーに接合した内視鏡が開示されている。
【０００６】
また、高周波処置が可能な内視鏡では、内部金属を高周波電流の患者プレート側に電気的に接続し、内部金属に漏れた電流を高周波電源に帰還させるようにしていた。
【０００７】
【発明が解決しようとする課題】
しかしながら、前記特公平３−２６９６４号公報の内視鏡では、チャンネルチューブの先端と絶縁カバーとを接合するために接着層を設ける必要があり、このことにより絶縁カバーの肉厚が厚くなって、挿入部の先端硬質部長が長くなり、内視鏡の挿入性が低下するという問題があった。
【０００８】
また、チャンネルチューブの先端を絶縁カバーに突き当てる構成になっているため、組立時に、絶縁カバーが先端部本体より外れることによって組み立て性が悪いという問題があった。
【０００９】
さらに、細径の内視鏡では先端部本体と節輪とを接着剤によって固定するようになっており、本出願人が特願平７−１１４９３５号で開示した先端部本体と節輪とを接着固定した高周波処置用の内視鏡の構造では先端部本体と節輪の間に接着剤による接着層が介存するため、先端部本体と節輪との確実な電気的導通を図ることが難しく、先端部本体に漏れた電流が固体撮像素子を経由して高周波電源に帰還することにより、固体撮像素子の破損や画像の乱れを引き起こすおそれがあった。
【００１０】
本発明は上記事情に鑑みてなされたものであり、内視鏡の組立性や挿入性を損なわず、鉗子チャンネルから内視鏡の内部金属に漏れ電流が流れることなく、効率よく高周波処置の行える内視鏡を提供することを目的にしている。
【００１１】
【課題を解決するための手段】
本発明の内視鏡は、挿入部の先端側に設けられた金属製の先端部本体と、この先端部本体の外周面を覆う絶縁カバーと、前記先端部本体と前記絶縁カバーとに貫通してこの絶縁カバーの外表面に開口を有する電気絶縁性のチャンネルチューブが内挿される貫通孔と、この貫通孔の中心軸方向に突出して絶縁カバー側に形成した前記チャンネルチューブの透孔の直径寸法より大径で、このチャンネルチューブの外径寸法より小径の凸部とを設けた内視鏡であって、
前記チャンネルチューブの先端面を、前記凸部に当接させて固定すると共に、このチャンネルチューブ先端面から絶縁カバーまでの凸部内周面を絶縁部材で覆っている。
【００１２】
この構成によれば、内視鏡の組立性や挿入性を損なうことなく、高周波処置具に流れている高周波電流が内視鏡に漏洩することを防止する。
【００１３】
【発明の実施の形態】
以下、図面を参照して本発明の実施の形態を説明する。
【００１４】
図１ないし図７は本発明の第１実施形態に係り、図１は内視鏡の概略構成を示す説明図、図２は挿入部の先端部を説明する斜視図、図３は先端部の構成を説明する断面図、図４は図３のＡ−Ａ断面図、図５は内視鏡の湾曲機構の概略構成を示す説明図、図６は外皮チューブを被せる前の湾曲部の構成を示す説明図、図７は操作レバーの概略構成を説明する断面図である。
【００１５】
図１に示すように内視鏡１は、体腔内に挿入される挿入部２と、この挿入部２の基端側に配設された把持部を兼ねる操作部３と、この操作部３の側部から延出するコネクタコード４とで主に構成されている。
【００１６】
前記挿入部２は、先端側より硬質の金属部材で形成した後述する先端部本体を備える先端部５と、複数の湾曲駒を例えば上下、左右方向に湾曲自在に連接した湾曲部６と、柔軟で可撓性を有する軟性管部７とで構成されている。
【００１７】
前記操作部３には前記湾曲部６を所望の方向に湾曲させるための操作レバー３ａが設けられており、この操作レバー３ａを操作することによって、湾曲部６の先端に配置されている第１の湾曲駒に連結されている操作ワイヤを牽引して湾曲部６を上下、左右方向に湾曲させて、先端部５の先端面を所望の方向に向けることができるようになっている。また、前記操作部３の先端側には処置具を挿通するための鉗子挿入口３ｂが設けられている。
【００１８】
前記コネクタコード４の手元側端部には外部装置である光源装置に着脱自在に接続可能な光源接続部８ａと電気ケーブルを介して外部装置である画像処理装置に着脱自在な画像処理装置接続部８ｂとを備えたコネクタ８が設けられている。このコネクタ８には内視鏡１の内部に設けられている金属に対して電気的に導通する高周波端子９が設けられており、この高周波端子９には高周波電源に帰還するコードが接続されるようになっている。
【００１９】
図２に示すように前記挿入部２の先端部５の先端面５ａには被検部位を観察する観察光学系１１を構成する対物レンズ１１ａや被検部位を照らす照明光学系１２を構成するレンズカバー１２ａや前記鉗子挿入口３ｂに連通する鉗子チャンネル１３の開口部１３ａが設けられている。なお、符号１４は先端部本体の先端面及び先端面側外周部を覆う樹脂製の絶縁カバーである。
【００２０】
図３に示すように先端部５には金属製の円柱状部材で形成された先端部本体１５が設けられている。前記先端部本体１５の内部には観察光学系１１を構成する複数のレンズを保持するレンズ枠１６や、前記照明光学系１２を構成する照明用ライトガイド（不図示）や、前記鉗子チャンネル１３を構成する可撓性を有する柔軟なチャンネルチューブ１７を配置するためのそれぞれに対応する複数の貫通孔として光学系用透孔１８やチャンネル用透孔１９などが設けられている。
【００２１】
前記レンズ枠１６の先端面は、前記絶縁カバー１４の表面より凹んだ状態で配設されており、このレンズ枠１６と絶縁カバー１４との間に形成される隙間に絶縁性接着剤２０を充填して前記レンズ枠１６の先端面を絶縁している。
【００２２】
前記先端部本体１５に形成されているチャンネル用透孔１９の絶縁カバー１４側端部にはチャンネル用透孔１９の中心軸方向に向かって突出し、このチャンネル用透孔１９に内挿されるチャンネルチューブ１７の内孔の内径寸法φｄ１  より大きく、前記チャンネルチューブ１７の外径寸法φｄ２  より小さく形成した凸部１９ａが設けられている。
【００２３】
前記チャンネル用透孔１９に配設されるチャンネルチューブ１７の先端面は、前記凸部１９ａの立上り面に当接しており、前記凸部１９ａの内周側面が位置する絶縁カバー１４とチャンネルチューブ１７先端部との間の凹部に絶縁性接着剤２０を塗布して前記チャンネル用透孔１９の凸部１９ａの内周面側の金属面を絶縁している。
【００２４】
また、前記チャンネルチューブ１７の先端側の一部を除いて、チャンネルチューブ１７のチューブ外周には金属部材よりなる螺旋状のチャンネルコイル２１が外嵌されている。このとき、前記チャンネルコイル２１が外嵌されていない先端部側チャンネルチューブ２２の中心軸２２ａと、前記チャンネルコイル２１が外嵌されている湾曲部側チャンネルチューブ２３の中心軸２３ａとの位置関係は、前記先端部側チャンネルチューブ２２の中心軸２２ａが湾曲部側チャンネルチューブ２３の中心軸２３ａより内視鏡の中心側に距離ｄだけ近づくように位置ずれさせて先端部５の細径化を図っている。なお、前記先端部側チャンネルチューブ２２と湾曲部側チャンネルチューブ２３とは滑らかに位置ずれしている。
【００２５】
前記先端部本体１５にはパイプ部材で形成された接続部材２４が外嵌しており、この接続部材２４に湾曲部６の最先端部を構成する第１の節輪６１が外嵌している。
【００２６】
前記湾曲部６は、先端側から第１の節輪６１，第２の節輪６２，第３の節輪６３．．．を連接して形成されており、前記第１の節輪６１と第２の節輪６２とをリベット２５により第２の節輪６３に対して回動自在に連結し、前記第２の節輪６２より後方においても隣り合う節輪同士をリベット２５で同様に隣合う節輪どうしを回動自在に連結している。
【００２７】
前記接続部材２４及び複数の節輪６１，６２，６３．．．の外周には網状管２６が被覆されており、この網状管２６のさらに外周には絶縁性を有する外皮チューブ２７が被覆されている。そして、前記外皮チューブ２７の先端部にテグス２８を巻回して、この外皮チューブ２７を接続部材２４に締め付け固定している。
【００２８】
前記第１の節輪６１にはリング状のワイヤ受け３０が操作ワイヤ３１に対応するように複数内設されており、少なくとも２本の操作ワイヤ３１の先端部がワイヤ受け３０に固着されている。この操作ワイヤ３１は、複数本の細い金属線を撚って形成したものである。
【００２９】
なお、符号３２は撮像部本体であり、前記対物光学系１１の後方に配設されたカバーガラス３３及び前記対物光学系１１の結像位置に配設した固体撮像素子３４が金属製の素子枠３５に支持固定されて所定の位置に配設されている。この固体撮像素子３４からは同軸線からなる信号ケーブル３６が画像処理装置接続部８ｂに向かって延出している。
【００３０】
図４に示すように湾曲自在なように複数の節輪６１，６２，６３．．．を連接して形成された湾曲部６の第１の節輪６１には節輪用貫通孔６１ａが形成されており、前記接続部材２４には前記第１の節輪６１が所定位置に外嵌固定されたときに、前記節輪用貫通孔６１ａに対して連通する接続部材用貫通孔２４ａが形成されている。
【００３１】
また、前記先端部本体１５には、前記接続部材２４及び第１の節輪６１がこの先端部本体１５に対して所定の状態で外嵌固定されたとき、前記節輪用貫通孔６１ａと前記接続部材用貫通孔２４ａとに対して一直線に連通する円孔１５ａが形成されている。
【００３２】
即ち、前記先端部本体１５の所定位置に接続部材２４が外嵌され、前記接続部材２４の所定位置に第１の節輪６１が外嵌されることによって、前記節輪用貫通孔６１ａと、前記接続部材用貫通孔２４ａと、前記円孔１５ａとが同軸上に配置されて凹部４０を形成する。そして、この凹部４０に金属粉を混入した電気導通手段としての導電性接着剤４１を充填することにより、前記先端部本体１５、接続部材２４、第１の節輪６１、操作ワイヤ３１、とが電気的に接続される。なお、前記凹部４０内に例えば絶縁性の接着剤２０などが付着している場合には、この接着剤２０を予め除去してから導電性接着剤４１を充填する。なお、符号１２ｂは照明用ライトガイドである。
【００３３】
図５に示すように内視鏡１の湾曲部６を形成する複数の節輪の１つである第１の節輪６１には操作ワイヤ３１の一端が固着されている。一方、前記操作ワイヤ３１の他端は、操作部３内に設けられているプーリー４１に軸対称に固着されている。前記プーリー４１と操作レバー３ａとは一体になっており、フレーム４３から突出する回転軸４３を中心に回動自在に連結されている。
【００３４】
前記フレーム４３は、前記操作部３内に固定されており、前記操作レバー３ａが回動操作されることにより、この操作レバー３ａに一体なプーリー４１が回動して、操作ワイヤ３１を牽引する。この操作ワイヤ３１が牽引されることによって、湾曲部２が２点鎖線で示すような直線状態から所望の方向に湾曲した状態になる。なお、図に示すように前記コネクターコード４内を挿通しているリード線４４は、一端を操作ワイヤ３１が固着されているプーリー４１に軸４２を介して固定されているフレーム４３に接続し、他端を高周波端子９に電気的に接続している。このことにより、先端部本体１５、接続部材２４、第１の節輪６１、操作ワイヤ３１、プーリー４１、フレーム４３、リード線４４、高周波端子９及び高周波電源（不図示）を電気的に接続して、極めてインピーダンスの低い帰還回路が形成される。
【００３５】
図６に示すように外皮チューブ２７を被せる前の状態の湾曲部２では、絶縁カバー１４の後方側縁部の全周に渡ってシール剤４６が塗布されている。このため、前記網状管２６及び第１の節輪６１の外周を被覆する外皮チューブ２７の先端部を、前記絶縁カバー１４の後方側縁部に当接して組み付けた内視鏡完成状態において、前記絶縁カバー１４と前記外皮チューブ２７との当接部分の水密はシール剤４６によって確保される。
【００３６】
図７に示すように操作レバー３ａのツマミ部４７は、樹脂製のツマミ本体４７ａと、このツマミ本体４７ａの内部に内挿された金属製のレバーフレーム４７ｂとで形成されている。
【００３７】
即ち、前記ツマミ部４７は、樹脂製のツマミ本体４７ａと樹脂部材に内挿されるレバーフレーム４７ｂとをインサート成形法によって、一体成形して形成したものである。
【００３８】
なお、符号４８は、樹脂製のレバーカバーであり、前記ツマミ部４７と共に、レバーフレーム４７ｂの裏面を除く外表面を覆っている。
【００３９】
また、前記レバーカバー４８の裏面に配設される突起片４９は、前記レバーフレーム４７ｂに設けられている貫通孔４７ｃに嵌合されており、この突起片４９の先端を熱で変形させることによって、レバーカバー４８をレバーフレーム４７ｂに嵌着固定している。
【００４０】
さらに、前記レバーフレーム４７ｂは金属製の固定ネジ５１により回転軸４２に固定されている。この固定ネジ５１にはフランジ５１ａが設けられている。
【００４１】
又、前記レバーカバー４８に設けた軸穴４８ａは、前記操作レバー３ａを回転軸４２に組み付けた状態で、前記回転軸４２及び固定ネジ５１に対して同軸上に位置し、前記固定ネジ５１のフランジ５１ａの外径よりやや大きな内径で形成されており、樹脂製のカバー５２の底面が固定ネジ５１に当接する一方、このカバー５２の側面が軸穴４８ａに嵌合している。
【００４２】
このように、先端部本体に形成されている貫通穴であるチャンネル用透孔の絶縁カバー側内周面に、チャンネルチューブの内径寸法より大きく、このチャンネルチューブの外径寸法より小さく突出した凸部を設け、この凸部の立上り面に前記チャンネルチューブの先端面が当接する挿入し固定する際、前記凸部の内周面側を絶縁性接着剤で覆うことによって、絶縁カバーの肉厚を増やすことなく且つ、絶縁カバーと先端部本体との接着強度を低下させることなく、鉗子チャンネル内周面を絶縁することができる。このことにより、挿入部の先端硬質部長を長くすることなく絶縁して、内視鏡の鉗子チャンネルに挿入された高周波処置具に流れている高周波電流が内視鏡の内部金属に漏洩することを防止する。また、組立時に、絶縁カバーが先端部本体より外れることを防止しているので、組立性が大幅に向上する。
【００４３】
また、先端部本体に外嵌する接続部材と、この接続部材に外嵌する第１の節輪とを所定の状態で組み付けたとき形成される凹部に導電性接着剤を充填することにより、先端部本体、接続部材、第１の節輪、操作ワイヤ、プーリー、フレーム、リード線、高周波端子及び高周波電源とを電気的に接続して、極めてインピーダンスの低い帰還回路を形成することができる。このことにより、鉗子チャンネルより内視鏡の内部金属に過大な漏れ電流が流れることを無くして、効率良く高周波処置を行うことができる。また、微少な漏れ電流が内視鏡の内部金属に、流れた場合でも漏れ電流は固体撮像素子を通過することなく、高周波電源に帰還するので、固体撮像素子の破損や画像の乱れが発生しない。
【００４４】
図８及び図９は本発明の第２実施形態に係り、図８は先端部の他の構成を説明する断面図、図９は先端部本体に接続部材及び第１の節輪を順次外嵌する行程を示す説明図である。なお、前記第１実施形態と構成を同じにする部材には同符号を付して説明を省略する。
【００４５】
本実施形態においては図８に示すように絶縁カバー１４に設けたチャンネル開口部５５と、先端部本体１５に設けた凸部１９ａとが同軸上にあり、前記チャンネル開口部５５の内径寸法と凸部１９ａの内径寸法とを略同寸法に形成している。そして、このチャンネル開口部５５に樹脂製で管状の絶縁管５６を嵌入している。このとき、前記絶縁管５６の手元側端面がチャンネルチューブ１７の先端面に当接するように配置して凸部１９ａの内周面の絶縁を行っている。なお、前記絶縁管５６は、外径寸法が前記凸部１９ａの内径寸法に略一致し、内径寸法が前記チャンネルチューブ１７の内径寸法に略一致している。
【００４６】
また、図９に示すように本実施形態においては、先端部本体１５、接続部材２４、第１の節輪６１にそれぞれ電気導通手段となる突起５７，５８，５９を設けている。
【００４７】
即ち、前記先端部本体１５にはこの先端部本体１５の外周面より突出する、先端部本体１５に対して一体または細いピンを嵌入した第１の突起５７が設けられている。また、接続部材２４にはこの接続部材２４の縁部を切り欠き、中心軸方向にわずかに折り曲げて形成した第２の突起５８が設けられている。さらに、第１の節輪６１にはこの第１の節輪６１の縁部を切り欠き、中心軸方向にわずかに折り曲げて形成した第３の突起５９が設けられている。
【００４８】
上述のように前記先端部本体１５、接続部材２４、第１の節輪６１にそれぞれ突起５７，５８，５９を設けたことによって、前記先端部本体１５に接続部材２４及び第１の節輪６１を外嵌するために、絶縁カバー１４が外嵌して接着固定されている先端部本体１５の基端部に接続部材２４を外嵌させて接着固定する際及びこの接続部材２４の基端部に第１の節輪６１を外嵌させて接着固定する際に、前記先端部本体１５に設けた第１の突起５７、接続部材２４に設けた第２の突起５８及び第１の節輪６１に設けた第３の突起５９によって、先端部本体１５，接続部材２４，第１の節輪６１の面に塗布されている接着剤層が削り落とされて、先端部本体１５と接続部材２４と第１の節輪６１とが電気的に導通する。
【００４９】
このように、絶縁カバーのチャンネル開口部に絶縁管を内挿して、この絶縁管の手元側端部をチャンネルチューブの先端面に当接させて配設することにより、絶縁カバーの肉厚を増やすことなく且つ、絶縁カバーと先端部本体の接着強度を低下させることなく、鉗子チャンネル内周面の絶縁を確実に行うことができる。このことにより、絶縁管を絶縁カバーに内挿するという比較的容易な作業を行うだけで、鉗子チャンネル内周面の絶縁を行えるので作業性が大幅に向上する。
【００５０】
また、先端部本体、接続部材及び第１の節輪にそれぞれ突起を設けたことにより、先端部本体に接続部材を外嵌させる際及び接続部材に第１の節輪を外嵌させる際に、それぞれの突起が先端部本体、接続部材、第１の節輪の接着剤層を削り落としていくことにより、接着剤層の除去作業を行うことなく先端部本体と接続部材と第１の節輪とを電気的に導通させることができる。このことにより、接着剤の除去作業が不要になって作業性が向上する。その他の作用及び効果は前記第１実施形態と同様である。
【００５１】
なお、第１の突起５７及び第２の突起５８に関しては少なくともどちらか一方の突起を設ければよく、設けた突起に対応する面に接着層を設ける。
【００５２】
図１０及び図１１は本発明の第３実施形態に係り、図１０は湾曲部の第１の節輪部分での断面図、図１１は先端部本体と接続部材と第１の節輪との別の導通方法を示す説明図である。なお、上述の実施形態と構成を同じにする部材には同符号を付して説明を省略する。
【００５３】
本実施形態においては図１０に示すように先端部本体１５に外嵌する接続部材２４及びこの接続部材２４に外嵌する第１の節輪６１が所定位置に配設されることによって、節輪用貫通孔６１ａと接続部材用貫通孔２４ａと、円孔１５ａとが同軸上に配置されて形成される凹部４０に、導電性接着剤を充填する代わりに図１１で示す電気導通手段となる金属製のピン６０を圧入している。このピン６０は、多角柱形状をしており、このピン６０の外接円の直径寸法を凹部４０の内径寸法よりやや大きく形成している。
【００５４】
上述のように構成したことにより、先端部本体１５、接続部材２４及び第１の節輪６１を所定位置に配設して形成された凹部４０に、多角柱形状のピン６０を圧入していくことにより、このピン６０の稜線６０ａによって凹部４０内の内周面に付着している接着剤層を削り落として電気的に導通する。
【００５５】
このように、多角柱形状のピンを凹部に圧入するとき、このピンの稜線が凹部内の内周面に付着している接着剤を除去して、先端部本体と接続部材と第１の節輪とを電気的に導通させることができる。このことにより、接着剤の除去作業が不要になって作業性が向上する。その他の作用及び効果は上述の実施形態と同様である。
【００５６】
なお、本発明は、以上述べた実施形態のみに限定されるものではなく、発明の要旨を逸脱しない範囲で種々変形実施可能である。
【００５７】
ところで、従来より内視鏡などの管路内を洗滌する際、洗滌用ブラシが用いられていた。例えば、特公平２−２３９８５３号公報に開示されている洗滌用ブラシは、毛状部材をブラシ形成用ワイヤに保持して成るブラシ部の基端部に、可撓性を有する芯材を内部に挿通して成るコイルシースの先端疎巻き部を接続固定して形成されていた。
【００５８】
上述のように形成した内視鏡の洗滌用ブラシの一例としては図１２に示すようなものがある。
同図（ａ）に示すように洗滌用ブラシ７０のブラシ部７１は、例えば軟質線材を捩り合わせて形成したブラシ形成用ワイヤ７２と、このブラシ形成用ワイヤ７２の間に捩り込まれた毛状部材７３とで構成されている。このブラシ部７１の場合、上記ブラシ形成用ワイヤ７２の先端にはほつれを防止すると共に先端部の挿入性を向上させるために略球状の先端チップ７４が半田付けなどで固定されている。そして、このブラシ部７１の手元側端部をコイルで形成したコイルシース７５に接続している。
【００５９】
前記コイルシース７５は、先端側部分の疎巻き部７５ａと、後端側部分の密巻部７５ｂとで形成されており、前記密巻部７５ｂには同図（Ｂ）に示すようにコイルシャフト７６が内挿されている。このコイルシャフト７６は、ワイヤ状の芯材７６ａと、この芯材７６ａの外周に巻き付けた弾性線材で形成した密巻のコイル７６ｂとで構成されている。そして、このコイルシャフト７６の手元側部分を、上記コイルシース７５の後端から突出させてループ部７７を形成している。
【００６０】
前記コイルシャフト７６のループ部７７は、操作部７８に形成されている内孔７８ａに、前記コイルシース７５と共に内挿され、接着剤などによって一体的に固定されている。
【００６１】
上記ブラシ形成用ワイヤ７２の基端部７２ａは、前記コイルシース７５の疎巻き部７５ａの先端部分に挿入されて半田７９などの固定部材によって一体的に固定されている。また、前記コイルシース７５の密巻部７５ｂ内に挿入されているコイルシャフト７６の先端部分は、コイルシース７５の疎巻き部７５ａの後端部に半田７９などによって一体的に固定されている。
【００６２】
上述のように構成した洗滌用ブラシ７０は、内視鏡の管路に挿入され、ブラシ部７１を進退させることによって管路内の清掃を行うことができるようになっているが、前記コイルシャフト７６の先端側部分を、コイルシース７５の疎巻き部７５ａの後端部に半田７９で固定していたため、この洗滌用ブラシ７０を内視鏡の管路に挿入した状態で、進退操作して清掃するとき、このコイルシャフト７６に引張力や圧縮力或いは曲げ応力が繰り返し強くかかる。
【００６３】
特に、コイルシース７５とコイルシャフト７６とを固定している疎巻き部７５ａ後端部には、コイルシース７５の可撓性が変化する部分が湾曲した管路を通過する際、この管路に追随して疎巻き部７５ａが大きく曲がることによって発生する曲げ応力が集中的にかかるので破壊に至るおそれがあった。このため、使用時にコイルシース７５とコイルシャフト７６との固定部に応力が集中し難く、コイルシース７５の耐久性が優れたシース構造体が望まれていた。
【００６４】
図１３（ａ）（ｂ）に示すように本実施形態の洗滌用ブラシ７０Ａのコイルシャフト７６は、ワイヤ状の芯材７６ａの外周に弾性部材からなるコイル７６ｂを密に巻き付けて構成したものであり、この芯材７６ａは、コイルシャフト７６全体に適度な腰の強さをもたせるために設けている。このため、芯材７６ａを設けることなくコイル状に密巻きにしたコイル７６ｂのみでコイルシャフト７６を構成した場合に比べて、この洗滌用ブラシ７０Ａの操作時に受ける圧縮力、引張力、曲げ応力などの外力に適した腰の強さをコイルシース７５にもたせることができるようになっている。
【００６５】
また、このコイルシャフト７６の先端部７６ｃは、コイルシース７５の疎巻き部７５ａの中程まで突出しており、使用時に芯材７６ａと密巻きコイル７６ｂとのほつれをぼうしするために先端部を半田７９などで固定している。
【００６６】
さらに、コイルシャフト７６は、疎巻き部７５ａの後端部でコイルシース７５に半田７９によって一体的に固定されている。
【００６７】
上述のようにコイルシャフト７６の先端部７６ｃをコイルシース７５の疎巻き部７５ａの中程まで突出させ、疎巻き部７５ａの後端部でコイルシャフト７６とコイルシース７５とを固定して洗浄用ブラシ７０Ａを構成することにより、内視鏡の湾曲した管路内に前記洗滌用ブラシ７０Ａを挿通して疎巻き部７５ａが曲がった管路に追随して大きく曲がって発生する曲げ応力は、コイルシース７５とコイルシャフト７６とを固定している疎巻き部７５ａの後端部と、コイルシャフト７６が挿通しているか否かによってコイルシース７５の可撓性が変化する境界部とに分散する。その他の構成は図１２に示した形態と同様であり、同部材には同符号を付して説明を省略する。
【００６８】
このように、コイルシースとコイルシャフトとの固定部と、コイルシャフトが挿通されているか否かによって可撓性の変化するコイルシースの境界部とを位置ずれさせたことにより、疎巻き部が曲がった管路に追随して大きく曲がった際に発生する曲げ応力がコイルシースとコイルシャフトとの固定部に集中することを防止することができる。このことによって、コイルシースの耐久性が大幅に向上して、使用時に、コイルシースと芯材との固定部に応力が集中しにくく、コイルシースの耐久性の向上したシース構造体を提供することができる。
【００６９】
なお、前記芯材７６ａを図１４（ａ）（ｂ）に示すように撚り線ワイヤー８０で構成するようにしてもよい。
即ち、撚り線ワイヤー８０の先端部８０ａを、コイルシース７５の疎巻き部７５ａの中程まで突出しており、使用時に撚り線ワイヤー８０がほつれないように先端部８０ａを半田７９で固定するしている。一方、この撚り線ワイヤー８０は、疎巻き部７５ａの後端でコイルシース７５に半田７９で一体的に固定されている。その他の構成は図１３に示した実施形態と同様であり、同部材には同符号を付して説明を省略する。
【００７０】
このように、芯材を撚り線ワイヤで構成した洗滌用ブラシを内視鏡の曲がった管路に挿通した場合、疎巻き部が曲がった管路に追随して大きく曲がった時に発生する曲げ応力は、コイルシースと撚り線ワイヤーとを固定している疎巻き部の後端部と、撚り線ワイヤーの有無によってコイルシースの可撓性が変化する境界部とが異なるため、コイルシースと撚り線ワイヤーとの固定部に曲げ応力が集中しなくなり、コイルシースの耐久性が大幅に向上する。
【００７１】
なお、本発明は洗滌用ブラシに限定されるものではなく、可撓性を有する芯材を内部に挿通してなるコイルシースからなるシース構造体を備えた内視鏡用各種処置具や、医療用以外の管路内洗滌ブラシ等にも適用されることはいうまでもない。
【００７２】
また、芯材とコイルシースとの固定は半田による固定に限定されるものではなく、ろう付けによる固定や、接着剤による固定、さらには溶接などの固定部材であってもよい。
【００７３】
さらに、芯材としては、撚り線ワイヤー以外の密巻きコイルや多条コイル、さらにその他の材料であってもよい。
【００７４】
［付記］
以上詳述したような本発明の実施形態によれば、以下の如き構成を得ることができる。
【００７５】
（１）挿入部の先端側に設けられた金属製の先端部本体と、この先端部本体の外周面を覆う絶縁カバーと、前記先端部本体と前記絶縁カバーとに貫通してこの絶縁カバーの外表面に開口を有する電気絶縁性のチャンネルチューブが内挿される貫通孔と、この貫通孔の中心軸方向に突出して絶縁カバー側に形成した前記チャンネルチューブの透孔の直径寸法より大径で、このチャンネルチューブの外径寸法より小径の凸部とを設けた内視鏡において、
前記チャンネルチューブの先端面を、前記凸部に当接させて固定すると共に、このチャンネルチューブ先端面から絶縁カバーまでの凸部内周面を絶縁部材で覆った内視鏡。
【００７６】
（２）前記絶縁部材は、絶縁性の接着剤である付記１記載の内視鏡。
【００７７】
（３）前記絶縁部材は、樹脂製の管状部材である付記１記載の内視鏡。
【００７８】
（４）挿入部の先端部に設けられる金属製の先端部本体と、前記先端部本体の手元側端部に外嵌してこの先端部本体に接着固定させる金属製の節輪を有する内視鏡において、
前記先端部本体と前記節輪とを電気的に導通させる電気導通手段を設けた内視鏡。
【００７９】
（５）前記電気導通手段は、導電性接着剤である付記４記載の内視鏡。
【００８０】
（６）前記電気導通手段は、先端部本体または節輪の少なくともどちらか一方に設けた突起である付記４記載の内視鏡。
【００８１】
（７）前記電気導通手段は、金属製のピンである付記４記載の内視鏡。
【００８２】
（８）可撓性を有する芯材を内部に挿通して成るコイルシャフトをコイルシースに接続したシース構造体において、
前記コイルシースの先端に疎巻き部を設け、この疎巻き部内にコイルシャフトを突出させる一方、疎巻き部の後端部でコイルシャフトを固定するシース構造体。
【００８３】
（９）前記芯材が撚り線ワイヤーである付記８記載のシース構造体。
【００８４】
（１０）前記芯材が密巻きコイルである付記８記載のシース構造体。
【００８５】
（１１）前記芯材が多条コイルである付記８記載のシース構造体。
【００８６】
（１２）前記芯材とコイルシースとの固定が半田付けである付記８記載のシース構造体。
【００８７】
（１３）前記芯材とコイルシースとをろう付けで固定した付記８記載のシース構造体。
【００８８】
（１４）前記芯材とコイルシースとを溶接で固定した付記８記載のシース構造体。
【００８９】
（１５）前記芯材とコイルシースとを接着剤で固定した付記８記載のシース構造体。
【００９０】
【発明の効果】
以上説明したように本発明によれば、内視鏡の組立性や挿入性を損なわず、鉗子チャンネルから内視鏡の内部金属に漏れ電流が流れることなく、効率よく高周波処置の行える内視鏡を提供することができる。
【図面の簡単な説明】
【図１】図１ないし図７は本発明の第１実施形態に係り、図１は
内視鏡の概略構成を示す説明図
【図２】挿入部の先端部を説明する斜視図
【図３】先端部の構成を説明する断面図
【図４】図３のＡ−Ａ断面図
【図５】内視鏡の湾曲機構の概略構成を示す説明図
【図６】外皮チューブを被せる前の湾曲部の構成を示す説明図
【図７】操作レバーの概略構成を説明する断面図
【図８】図８及び図９は本発明の第２実施形態に係り、図８は
先端部の他の構成を説明する断面図
【図９】先端部本体に接続部材及び第１の節輪を順次外嵌する行程を示す説明図
【図１０】図１０及び図１１は本発明の第３実施形態に係り、図１０は
湾曲部の第１の節輪部分での断面図
【図１１】先端部本体と接続部材と第１の節輪との別の導通方法を示す説明図
【図１２】洗滌用ブラシの従来の構成を説明する図
【図１３】洗滌用ブラシの構成を示す説明図
【図１４】洗滌用ブラシの他の構成を示す説明図
【符号の説明】
１５…先端部本体
１７…チャンネルチューブ
１９ａ…凸部
２０…絶縁性接着剤
代理人  弁理士    伊藤  進
【図１】
0003563882.tif 000002
【図２】
0003563882.tif 000003
【図３】
0003563882.tif 000004
【図４】
0003563882.tif 000005
【図５】
0003563882.tif 000006
【図６】
0003563882.tif 000007
【図７】
0003563882.tif 000008
【図８】
0003563882.tif 000009
【図９】
0003563882.tif 000010
【図１０】
0003563882.tif 000011
【図１１】
0003563882.tif 000012
【図１２】
0003563882.tif 000013
【図１３】
0003563882.tif 000014
【図１４】
0003563882.tif 000015